(57)【要約】【課題】高画質の製版が自動にできて写真画像等も容易に製版でき、構成がシンプル・コンパクトで可搬性があり、故障が少なく低価格で且つ電源も不要な手軽な孔版印刷装置の提供。【解決手段】シート状記録媒体１００は、内部に製版手段６２と原稿読取装置６３を有する装置本体６と、支軸４を支点として上下方向に回動可能なフレーム１を有している。装置本体６の上面には印刷用紙２６を積載する上板１７が設けられ、上板１７を外した状態で原稿２３が密着型ＣＣＤセンサ２４により読み取られる。読み取り情報に基づいて製版されたマスタ２は排版ロール１４で巻き取られながら所定位置に位置決めされ、第１のクランパ１１と第２のクランパ１２でインキ通過性スクリーン３に貼り付けられる。フレーム１を閉じた状態でインキ通過性スクリーン３の上面で図示しないインキ供給ローラを手で押圧回転させることにより印刷がなされる。ステッピングモータ２９の駆動電源はバッテリー３７である。【選択図】　　　図１
2004130725.tif 000002
【特許請求の範囲】
【請求項１】
シート状記録媒体を載置可能な装置本体と、孔版原紙を貼り付け装着可能なインキ通過性スクリーンを有し一端側を支点として上記装置本体に開閉可能に設けられたフレームと、画像情報に基づいて孔版原紙を製版する製版手段と、インキ供給ローラを有し、上記製版手段により製版された製版済孔版原紙を上記インキ通過性スクリーンに装着し且つ該製版済孔版原紙を上記シート状記録媒体の上面に密着させた状態で、上記インキ通過性スクリーンの孔版原紙装着面と反対側の面において上記インキ供給ローラを手動で押圧回転させることにより印刷を行う手動型孔版印刷装置。
【請求項２】
請求項１記載の手動型孔版印刷装置において、
上記製版手段が上記装置本体に一体に設けられていることを特徴とする手動型孔版印刷装置。
【請求項３】
請求項１又は２記載の手動型孔版印刷装置において、原稿を搬送しながら該原稿の画像を光学的に読み取って電気信号に変換する原稿読取装置を有していることを特徴とする手動型孔版印刷装置。
【請求項４】
請求項３記載の手動型孔版印刷装置において、
原稿を読み取りながら同時に製版を行うことを特徴とする手動型孔版印刷装置。
【請求項５】
請求項１記載の手動型孔版印刷装置において、
製版済孔版原紙を上記インキ通過性スクリーンに密着保持させる原紙保持手段を有していることを特徴とする手動型孔版印刷装置。
【請求項６】
請求項５記載の手動型孔版印刷装置において、
上記原紙保持手段が磁力により密着保持させる構成を有していることを特徴とする手動型孔版印刷装置。
【請求項７】
請求項１記載の手動型孔版印刷装置において、
上記孔版原紙は芯材にロール状に巻かれて装着され、製版済孔版原紙を上記インキ通過性スクリーンに対する一方側から搬送排出して切断使用することなく使用することを特徴とする手動型孔版印刷装置。
【請求項８】
請求項７記載の手動型孔版印刷装置において、
使用済みの孔版原紙を巻き取るための原紙巻取り手段が上記インキ通過性スクリーンに対する他方側に着脱自在に設けられていることを特徴とする手動型孔版印刷装置。
【請求項９】
請求項２記載の手動型孔版印刷装置において、
上記孔版原紙は芯材にロール状に巻かれ、上記フレームを開いた状態で上記装置本体にその上面側からセット可能に設けられていることを特徴とする手動型孔版印刷装置。
【請求項１０】
請求項２記載の手動型孔版印刷装置において、
原稿を搬送しながら該原稿の画像を光学的に読み取って電気信号に変換する原稿読取装置が上記装置本体に設けられ、該原稿読取装置と上記製版手段の搬送駆動が単一の駆動源によってなされることを特徴とする手動型孔版印刷装置。
【請求項１１】
請求項１０記載の手動型孔版印刷装置において、
製版のための上記孔版原紙の搬送と読み取りのための上記原稿の搬送が共通の搬送部材によってなされることを特徴とする手動型孔版印刷装置。
【請求項１２】
請求項１０記載の手動型孔版印刷装置において、
上記フレームを閉じた状態で読み取りのための原稿を挿入可能に設けられていることを特徴とする手動型孔版印刷装置。
【請求項１３】
請求項１乃至１２のうちの何れか１つに記載の手動型孔版印刷装置において、上記製版手段等を動作させるための電源を外部から取り入れるための電源接続部材の他に、蓄電池を有していることを特徴とする手動型孔版印刷装置。
【請求項１４】
請求項１乃至１２のうちの何れか１つに記載の手動型孔版印刷装置において、上記製版手段等を動作させるための電源として、燃料電池を備えていることを特徴とする手動型孔版印刷装置。
【請求項１５】
請求項１４記載の手動型孔版印刷装置において、
上記燃料電池が、固体高分子型燃料電池であることを特徴とする手動型孔版印刷装置。
【発明の詳細な説明】
【０００１】
【発明の属する技術分野】
本発明は、画像情報に基づいて製版された孔版原紙を用いて印刷を行う孔版印刷装置に関し、詳しくは、印刷動作自体はインキローラを手で回転移動させて行う手動型孔版印刷装置に関する。
【０００２】
【従来の技術】
かつて、学校や役場等において「ガリ版」又は「謄写版」と呼ばれる手動型の印刷装置が盛んに使用されていた。これは和紙にロウ引きをした謄写原紙を用いて、ヤスリ板の上で鉄筆により手書きで製版を行い、そうして製版された原紙をインキ通過性スクリーンが平板状に保持されたフレームの片面に装着し、そのフレームを原紙が印刷用紙に密着するように押し付けて、原紙装着と反対の側から手持ちのインキローラによって押圧することによって謄写印刷を行うもので、極めてシンプル、簡便、低価格であり、手軽な手動型印刷装置であった。どこへでも持ち運べて電源も不要であり、故障することもないという利点も有していた。
その後、鉄筆手書き製版のみならず、ボールペンを用いた手書き製版方式やタイプライターによる製版方式によって製版された謄写原紙も装着して使用できるようになった。
しかしながら、その後のファックス製版式製版機、フラッシュ製版式製版機、輪転式電動謄写印刷装置等の登場によってその台数は激減し、さらにデジタル製版式の製版・印刷一体型機の登場によって完全に市場から姿を消してしまった。
【０００３】
【特許文献１】
特開平６−２８６２８５号公報
特開２０００−１００１６号公報
【０００４】
【発明が解決しようとする課題】
しかしながら、我が国の上記現状に反し、発展途上国等では上記謄写版が今でも盛んに使われており、重宝されている。それは、上述したようにどこへでも持ち運べて電源も不要であり、構成が簡単であるが故に故障することもなく誰にでも使うことができ、安価で購入しやすいからである。
反面、この謄写版にも下記のような欠点があることもまた事実である。
▲１▼手書きで製版するので、製版が面倒で時間がかかり、製版作業に熟練を要する。
▲２▼写真画像等は製版できないので、印刷対象が文字や手書き絵等に限定されてしまう。
▲３▼同じ原稿を用いて後で再度印刷したいと思った場合、また書き直し製版が必要になり、非常に作業性が悪い。
▲４▼折角原稿があっても、それを使って大量製版することはできず、原稿通りに手書き製版するしか方法がない。
▲５▼手書き製版用の原紙では印刷画像品質が悪く、細文字や写真画像に対応できない。
▲６▼原紙は取扱い性が悪く、しかも１枚１枚が意外に高価である。
【０００５】
今や我が国においては、孔版印刷装置はデジタル製版方式を採用して製版・印刷一体型になることで大きく進歩し、操作性が向上するとともに即応性が高いので、簡単に所望の画像を緊急の場合でも高速で印刷することができるので、盛んに使われている。
しかしながら、下記のような問題点を有していることも事実であり、このことが発展途上国等において普及しない大きな理由にもなっている。
▲１▼製版・印刷一体型の装置はあまりにも高価である。
▲２▼装置筐体が大きくて置き場所にも困り、持ち運びもできない。
▲３▼操作が複雑で難しく、誰にでも簡単に使えるものではない。
▲４▼構造が複雑で理解し難く、故障が起きた場合安易に対処できない。
▲５▼必ず電源がある場所でしか使えない。
【０００６】
発展途上国に限らず、我が国においても高画質の製版が自動でできて写真画像等も容易に製版でき、構成がシンプル・コンパクトで可搬性があり、故障が少なく低価格で且つ電源も不要な手軽な孔版印刷装置の需要は潜在的には多いと思われる。例えば、大学や地域のサークル、高齢者団体等においてである。
そこで、本発明は、上記のような要件を満たし得る手軽な孔版印刷装置の提供を、その目的とする。
【０００７】
【課題を解決するための手段】
大型の筐体を持ち高価格であるデジタル製版方式の製版・印刷一体型装置は、製版、排版、給紙、印刷等の全ての工程を自動化しているために、大型化、複雑化、高価格化を避けられないが、大量印刷を必要とせず私的利用性が高い場合には、製版のみを自動化して高画質化さえ確保すれば十分であり、印刷物の質的観点からはデジタル製版方式の製版・印刷一体型装置と比べて遜色ない。
【０００８】
本発明はこのような観点から生まれたもので、上記目的を達成するために、請求項１記載の発明では、シート状記録媒体を載置可能な装置本体と、孔版原紙を貼り付け装着可能なインキ通過性スクリーンを有し一端側を支点として上記装置本体に開閉可能に設けられたフレームと、画像情報に基づいて孔版原紙を製版する製版手段と、インキ供給ローラを有し、上記製版手段により製版された製版済孔版原紙を上記インキ通過性スクリーンに装着し且つ該製版済孔版原紙を上記シート状記録媒体の上面に密着させた状態で、上記インキ通過性スクリーンの孔版原紙装着面と反対側の面において上記インキ供給ローラを手動で押圧回転させることにより印刷を行う、という構成を採っている。
【０００９】
請求項２記載の発明では、請求項１記載の手動型孔版印刷装置において、上記製版手段が上記装置本体に一体に設けられている、という構成を採っている。
【００１０】
請求項３記載の発明では、請求項１又は２記載の手動型孔版印刷装置において、原稿を搬送しながら該原稿の画像を光学的に読み取って電気信号に変換する原稿読取装置を有している、という構成を採っている。
【００１１】
請求項４記載の発明では、請求項３記載の手動型孔版印刷装置において、原稿を読み取りながら同時に製版を行う、という構成を採っている。
【００１２】
請求項５記載の発明では、請求項１記載の手動型孔版印刷装置において、製版済孔版原紙を上記インキ通過性スクリーンに密着保持させる原紙保持手段を有している、という構成を採っている。
【００１３】
請求項６記載の発明では、請求項５記載の手動型孔版印刷装置において、上記原紙保持手段が磁力により密着保持させる構成を有している、という構成を採っている。
【００１４】
請求項７記載の発明では、請求項１記載の手動型孔版印刷装置において、上記孔版原紙は芯材にロール状に巻かれて装着され、製版済孔版原紙を上記インキ通過性スクリーンに対する一方側から搬送排出して切断使用することなく使用する、という構成を採っている。
【００１５】
請求項８記載の発明では、請求項７記載の手動型孔版印刷装置において、使用済みの孔版原紙を巻き取るための原紙巻取り手段が上記インキ通過性スクリーンに対する他方側に着脱自在に設けられている、という構成を採っている。
【００１６】
請求項９記載の発明では、請求項２記載の手動型孔版印刷装置において、上記孔版原紙は芯材にロール状に巻かれ、上記フレームを開いた状態で上記装置本体にその上面側からセット可能に設けられている、という構成を採っている。
【００１７】
請求項１０記載の発明では、請求項２記載の手動型孔版印刷装置において、原稿を搬送しながら該原稿の画像を光学的に読み取って電気信号に変換する原稿読取装置が上記装置本体に設けられ、該原稿読取装置と上記製版手段の搬送駆動が単一の駆動源によってなされる、という構成を採っている。
【００１８】
請求項１１記載の発明では、請求項１０記載の手動型孔版印刷装置において、製版のための上記孔版原紙の搬送と読み取りのための上記原稿の搬送が共通の搬送部材によってなされる、という構成を採っている。
【００１９】
請求項１２記載の発明では、請求項１０記載の手動型孔版印刷装置において、上記フレームを閉じた状態で読み取りのための原稿を挿入可能に設けられている、という構成を採っている。
【００２０】
請求項１３記載の発明では、請求項１乃至１２のうちの何れか１つに記載の手動型孔版印刷装置において、上記製版手段等を動作させるための電源を外部から取り入れるための電源接続部材の他に、蓄電池を有している、という構成を採っている。
【００２１】
請求項１４記載の発明では、請求項１乃至１２のうちの何れか１つに記載の手動型孔版印刷装置において、上記製版手段等を動作させるための電源として、燃料電池を備えている、という構成を採っている。
【００２２】
請求項１５記載の発明では、請求項１４記載の手動型孔版印刷装置において、上記燃料電池が、固体高分子型燃料電池である、という構成を採っている。
【００２３】
【発明の実施の形態】
以下、本発明の第１の実施形態を図１乃至図４に基づいて説明する。
図１に示すように、本実施形態におけるデジタル製版方式の手動型孔版印刷装置１００は、シート状記録媒体としての印刷用紙２６を積載可能な装置本体６と、該装置本体６に一端側における支軸４を支点として上下方向に開閉可能に設けられたアルミニウム製又はアルミニウム合金製のフレーム１と、これらとは別体の後述するインキ供給ローラ４０（図４参照）を有している。
フレーム１には孔版原紙としての製版済みのマスタ２を貼り付け装着可能なインキ通過性スクリーン３が平板状に保持されており、支軸４と反対側には操作用取手５が設けられている。インキ通過性スクリーン３は、メッシュ値が＃１５０〜３００程度のポリエステル又はステンレスを採用することができる。
支軸４は装置本体６にボルト６０で固定されたブラケット６１に取り付けられている。ブラケット６１には上下方向に延びる長穴６１ａが形成されており、印刷用紙２６の積載厚みに応じて装置本体６に対するフレーム１の固定位置を調整できるようになっている。
【００２４】
また、フレーム１の支軸４側と操作用取手５側には第１のクランパ１１と、第２のクランパ１２が手操作により着脱自在に設けられている。第１のクランパ１１と第２のクランパ１２はゴムマグネットで形成されており、フレーム１の対応部位には磁性部材１ａ、１ｂが設けられている。
第１のクランパ１１と磁性部材１ａにより、第２のクランパ１２と磁性部材１ｂによりそれぞれ製版済みのマスタ２をインキ通過性スクリーン３に磁力により密着保持させる原紙保持手段が構成されている。第１のクランパ１１と第２のクランパ１２の着脱（密着・解除）は蝶番等により片側を開閉するようにして、常にフレーム１と一体の部品としてもよい。このようにすれば未使用時の部品管理が容易である。
クランパと磁性部材の関係は逆でもよく、要するに磁力によるクランプ機能が得られれば素材関係はいずれでもよい。また、磁力に限らずバネ等の弾性力でクランプする構成としてもよい。
【００２５】
さらに、フレーム１の操作用取手５側には、使用済みのマスタ２を巻き取るための原紙巻取り手段としての芯金１３が、フレーム１固定された排版保持ブラケット１５に着脱自在に設けられており、芯金１３に巻き付けられた使用済みのマスタ２は排版ロール１４となる。排版ロール１４の周囲は、フレーム１に固定された排版ロールカバー１６で覆われており、操作者が不意にインキで汚れるのを防止する機能を有している。
【００２６】
装置本体６の内部には製版手段６２と、原稿２３を搬送しながら該原稿２３の画像を光学的に読み取って電気信号に変換する原稿読取装置６３が一体に設けられている。装置本体６の上面には印刷用紙２６の載置台としての上板１７が着脱自在に設けられており、この上板１７を取り除くことによって装置本体６の内部上面が開放されるようになっている。
製版手段６２は、サーマルヘッド９と、プラテンローラ８を有している。未製版のマスタ７は芯材６８にロール状に巻かれて装置本体６内部に回転自在に装着されている。ロール状態から引き出されたマスタ７はプラテンローラ８の回転により挟持搬送されながらサーマルヘッド９により穿孔製版され、ガイドローラ１０により案内されながら第１のクランパ１１側へ向けて排出される。
【００２７】
上板１７の下面であってマスタ７及び製版手段６２の上面は、装置本体６に取り付けられた軸１８を支点として上下方向に回動自在に設けられたアーム板１９で覆われており、該アーム板１９に上記サーマルヘッド９とガイドローラ１０が一体に設けられている。アーム板１９は図示しない弾性力付与手段（例えばバネ）により下方（時計回り方向）へ付勢されており、これによりサーマルヘッド９とプラテンローラ８間のマスタ挟持力が確保されている。
【００２８】
原稿読取装置６３は、密着型ＣＣＤセンサ２４と、少なくとも表面が白色の原稿搬送ローラ２２を有している。上板１７を取り除いた状態で装置本体６の上面には原稿挿入口２０が開放されるようになっており、この原稿挿入口２０から画像面を上側にして挿入された原稿２３は原稿ガイド板２１により案内され、密着型ＣＣＤセンサ２４と原稿搬送ローラ２２との間で該原稿搬送ローラ２２の回転により挟持搬送されながら密着型ＣＣＤセンサ２４により画像を読み取られる。密着型ＣＣＤセンサ２４は原稿２３を光学的に読み取って電気信号に変換する。画像を読み取られた原稿２３は、装置本体６の側面に開口した排出口２５から外部へ排出される。
上板１７の上面には複数枚の印刷用紙２６が積載・セットされる。印刷用紙２６の最大サイズは例えばＢ４又はＡ３である。印刷用紙２６の端部はばらけないように用紙押え２７で保持されている。用紙押え２７は図示しない弾性力付与手段により下方へ付勢されており、印刷用紙２６の上面はＬ字状の押え片２８によって押圧されている。図示しないレバーの操作により用紙押え２７による押え状態を任意に解除できるようになっている。
【００２９】
製版手段６２と原稿読取装置６３は単一の駆動源であるステッピングモータ２９により駆動される。ステッピングモータ２９の回転軸にはタイミングプーリ３０が固定されており、このタイミングプーリ３０とプラテンローラ８の回転軸に固定されたタイミングプーリ３２間にはタイミングベルト３１が掛けられている。
また、原稿搬送ローラ２２の回転軸にはタイミングプーリ３４が固定されており、このタイミングプーリ３４とタイミングプーリ３０間にはタイミングベルト３３が掛けられている。従って、ステッピングモータ２９の回転によりプラテンローラ８と原稿搬送ローラ２２が同時に回転駆動される。
【００３０】
装置本体６の支軸４側には制御装置（コントローラ）３５が設けられており、この制御装置３５には、外部からの情報入力機器としての例えばパーソナルコンピュータからの画像情報を入力するためのインターフェース３６が接続されている。
装置本体６の原稿排出口２５近傍には、可般電源としてのバッテリー（蓄電池）３７が設けられている。バッテリー３７は例えばノートパソコン等に使われているものと同様のものである。バッテリー３７としては、二次電池であるニッケル水素電池やエネルギー密度の高いリチウムイオン電池を採用できる。もちろん、ＡＣ電源から差込プラグ等の電源接続部材７０（図２）で電力を供給して充電しておくことができる。
【００３１】
図２に、本実施形態における手動型孔版印刷装置１００の制御系統を示す。操作部（操作パネル）３８はフレーム１、装置本体６のいずれか一方に設けられる。
制御装置３５は画像処理装置４１を一体的に有しており、密着型ＣＣＤセンサ２４により電気信号に変換された画像情報は読取制御部４０を介して画像処理装置４１へ入力される。また、パーソナルコンピュータ４５から画像情報がインターフェース３６を介して画像処理装置４１へ入力される。
制御装置３５は製版指令情報を製版制御部３９を介してサーマルヘッド９へ送信する。
【００３２】
図３は手動型孔版印刷装置１００における製版時の状態を示す概略図である。製版を行う場合、まず、フレーム１を支軸４を支点として上方に回動させ、装置本体６のストッパ６４で停止する位置に開放する。ストッパ６４は装置本体６と同じ素材で一体に形成してもよいが、本実施形態では硬質ゴムで形成して装置本体６に固定している。このストッパ６４はフレーム１側に形成しても同様の機能を得ることができる。
製版手段６２や原稿読取装置６３等はレイアウト上の関係においてフレーム１と装置本体６の何れに設けてもよいが、本実施形態のように装置本体６側に集約的に設けることによって、フレーム１を開放したときのウエイトバランスを確保することができる。すなわち、装置本体６側が重量的に軽すぎると、フレーム１を開放した場合に不安定となる。
また、フレーム１はストッパ６４で位置決めすることなく略１８０°回動して床面に当接させるようにしてもよい。
【００３３】
フレーム１を開放した後、上板１７を取り外す。原稿挿入口２０から原稿２３を画像面が上になる状態で挿入する。次に第１のクランパ１１と第２のクランパ１２を解除し、排版ロール１４を排版保持ブラケット１５から取り外す。手動で使用済みのマスタ２を芯金１３の周りにしっかりと巻き込んでいく。
その後、操作部３８の図示しない製版スタートスイッチを押すと、ステッピングモータ２９が回転し、原稿搬送ローラ２２が回転して原稿２３を搬送しながらその画像が密着型ＣＣＤセンサ２４で読み取られる。同時にプラテンローラ８が回転して未製版のマスタ７を搬送しながらサーマルヘッド９によって感熱穿孔製版が行われる。
【００３４】
原稿２３の読み取りが完了した後も製版済みマスタ２は一定長さ分自動的に搬送されるようプログラムされており、製版画像部分が丁度インキ通過性スクリーン３に重ねられるように位置決めされる。
所定量送られた製版済みマスタ２をインキ通過性スクリーン３の上にぴったりと張った状態で接触させ、第１のクランパ１１と第２のクランパ１２によって密着保持させてフレーム１に対して位置決めする。さらに排版ロール１４を排版保持ブラケット１５にセットする。排版ロール１４を排版保持ブラケット１５にセットした後にインキ通過性スクリーン３に対するマスタ２のクランパによる位置決めを行ってもよい。
図３に二点鎖線で示すように、未製版のロール状のマスタ７を装置本体６にセットする場合、あるいはマスタ７の装置本体６内での搬送ジャムを処理する場合には、フレーム１を開放し、上板１７を取り外した状態で、アーム板１９を図中左上方に回動させる。ロール状のマスタ７は装置本体６の側面から挿入する方式としてもよいが、装置本体６の上面から両手でしっかり持って下すだけで装着する方が作業性はよい。
【００３５】
印刷工程に入る場合には、排版ロール１４を排版保持ブラケット１５にセットした後、上板１７を所定位置にセットする。数十枚程度の印刷用紙２６を上板１７上に載せて用紙押え２７で一端側（図中左端側）を固定する。
その後、図４に示すように、操作用取手５を持ってフレーム１を閉じ、製版済みマスタ２が印刷用紙２６の表面に密着するようにする。そして図示しないインキ練り装置（インキ練り容器）によって外周に必要な厚さのインキ皮膜が形成されたインキ供給ローラ４０をインキ通過性スクリーン３の上面（マスタ２の密着面と反対側の面）に押し当て、手で押圧移動させる。
【００３６】
インキ供給ローラ４０は、手持ち用フレーム３８と、該手持ち用フレーム３８に軸３９により回転自在に支持されたインキローラ４１を有している。インキローラ４１は少なくともその外周面がゴムで形成されている。
インキローラ４１の押圧移動によってマスタ２が印刷用紙２６の表面に押し付けられるとともに、インキローラ４１の外周のインキがインキ通過性スクリーン３及びマスタ２の穿孔部を通過し、印刷用紙２６上に転移して画像が形成される。
インキ供給ローラ４０の印刷領域での移動が終わるとインキ供給ローラ４０を持ち上げて所定位置（インキ練り装置）に置いた後、フレーム１を上方に持ち上げ、印刷された一番上の印刷用紙２６を手でめくって取り除き、次の印刷用紙２６に対して再び同様の工程で印刷を行う。
図４では第１のクランパ１１と第２のクランパ１２はそれぞれ磁性部材１ａ、１ｂとの間に隙間を有しているように表示されているが、実際にはマスタ２を介して密着している。
図示しないが、フレーム１は、未使用時は、インキ通過性スクリーン３と装置本体６側の部材とが接触してインキ汚れが生じないように、フレーム１側又は装置本体６側に設けられる例えば一端側を支持されて回動自在に設けられた係止用ステー部材で所定の角度に保持されている。
【００３７】
次に、図５に基づいて第２の実施形態を説明する。なお、上記実施形態と同一部分は同一符号で示し、特に必要がない限り既にした構成上及び機能上の説明は省略する。また要部のみ説明する（以下の他の実施形態において同じ）。
本実施形態における装置本体６は、固定本体部６Ａと、該固定本体部６Ａに軸５１を支点として上下方向に回動可能に設けられた可動本体部６Ｂを有している。該可動本体部６Ｂ上に上板１７が載置されるようになっており、また、該可動本体部６Ｂにサーマルヘッド９とガイドローラ１０が一体に設けられている。ロール状のマスタ７を装着する場合には、フレーム１を閉じた状態でフレーム１ごと可動本体部６Ｂを上方左側に回動させて装着部上面を開放する。また、フレーム１を支持するブラケット６１は可動本体部６Ｂに一体に形成されている。
フレーム１は排版ロール１４の構成を有しておらず、その都度使用済みマスタ２を切断する方式を採っている。
【００３８】
本実施形態における原稿読取装置６３Ａは、密着型ＣＣＤセンサ２４と原稿搬送ローラとしてのプラテンローラ８を有している。すなわちプラテンローラ８が第１の実施形態における原稿搬送ローラ２２を兼ねる構成となっている。
原稿２３は図中装置本体６の右側面に開口された原稿挿入口２０からフレーム１の開放操作に関係なく挿入されるようになっている。ステッピングモータ２９の回転によりプラテンローラ８が回転され、この回転によって原稿２３が搬送されながらその画像を密着型ＣＣＤセンサ２４により読み取られる。同時にプラテンローラ８の回転によってマスタ７が搬送され、製版がなされる。すなわち、原稿読み取りと製版が同時に行われる。
読み取られた原稿２３は固定本体部６Ａ内のガイド６５により排出口２５から固定本体部６Ａの下面の空間部６６へ排出される。この空間部６６の側面は開口されており、排出された原稿２３を容易に取り出せるようになっている。
【００３９】
製版時には第１の実施形態の場合と同様に、まずフレーム１を支軸４を支点として上方に回動して開いた状態とする。次に原稿挿入口２０から原稿２３を画像面を下向きにして挿入する。次に第１のクランパ１１と第２のクランパ１２を解除してから、カッター等により使用済みのマスタ２をＫの部位で手動により切断する。
その後、使用済みのマスタ２をインキ通過性スクリーン３から剥がして廃棄する。そして操作部３８の図示しないスタートスイッチを押すと、ステッピングモータ２９が回転してプラテンローラ８が回転され、原稿２３が搬送されながらその画像が密着型ＣＣＤセンサ２４で読み取られ、同時にプラテンローラ８でマスタ７が搬送されながらサーマルヘッド９により感熱穿孔製版が行われる。
【００４０】
原稿２３の読み取りが完了した後も製版済みのマスタ２は一定長さ分搬送されて製版画像部分が丁度インキ通過性スクリーン３に重ねられるように位置決めされる。所定量送られた製版済みマスタ２をインキ通過性スクリーン３の上にぴったりと張った状態で接触させ、第１のクランパ１１と第２のクランパ１２によって密着保持させてフレーム１に対して位置決めする。印刷工程は第１の実施形態と同様である。
本実施形態では、第１のクランパ１１と第２のクランパ１２の着脱（密着・解除）は相手方（磁性部材）から垂直的に離れ、離れた位置で一旦係止できるようなガイド部材でガイドするようにしてもよい。また、Ｋ部位におけるマスタの切断は、フレーム１の幅方向（マスタ搬送方向と直交する方向）にカッターがスライド移動する構成をフレーム１に一体に付加して行うようにしてもよい。
【００４１】
上記各実施形態では制御装置３５等への電力供給をバッテリー３７で行う構成としたが、図６に示すようにＰＳＵ（パワーサプライユニット）６７を電源としてもよく（第３の実施形態）、図７に示すように、燃料電池４２を電源とする構成としてもよい（第４の実施形態）。燃料電池の場合、燃料と酸化剤を電気化学的に反応させて電気を発生させるので、例えば水素を供給することでＡＣ電源の無い場所でも使用することができる。
燃料電池の中でも特に固体高分子型燃料電池は構造が簡単で取扱い性がよく、環境にもやさしいので好適である（第５の実施形態）。
【００４２】
【発明の効果】
請求項１記載の発明によれば、シート状記録媒体を載置可能な装置本体と、孔版原紙を貼り付け装着可能なインキ通過性スクリーンを有し一端側を支点として上記装置本体に開閉可能に設けられたフレームと、画像情報に基づいて孔版原紙を製版する製版手段と、インキ供給ローラを有し、上記製版手段により製版された製版済孔版原紙を上記インキ通過性スクリーンに装着し且つ該製版済孔版原紙を上記シート状記録媒体の上面に密着させた状態で、上記インキ通過性スクリーンの孔版原紙装着面と反対側の面において上記インキ供給ローラを手動で押圧回転させることにより印刷を行う構成としたので、構成がシンプルでどこへでも持ち運べて電源がないところでも使用することができ、低価格で購入しやすい装置でありながらデジタル製版方式の製版・印刷一体型の孔版印刷装置と同等の画像品質を得ることができる。製版が簡単で時間がかからず、製版作業に熟練を要することもない。
また、デジタル画像信号のみで製版が行えるので外部のパーソナルコンピュータ等と接続して簡単に製版を行うことができる。写真画像等も製版が可能で、同じ原稿を用いて後で何度でも印刷ができる。細文字や写真画像も高品質に印刷できる。
【００４３】
請求項２記載の発明によれば、請求項１記載の手動型孔版印刷装置において、上記製版手段が上記装置本体に一体に設けられている構成としたので、製版手段の設置スペースを容易に確保することができるとともに、フレームの開閉に係る装置本体とのウエートバランスを容易に得ることができる。
【００４４】
請求項３記載の発明によれば、請求項１又は２記載の手動型孔版印刷装置において、原稿を搬送しながら該原稿の画像を光学的に読み取って電気信号に変換する原稿読取装置を有している構成としたので、パーソナルコンピュータ等の外部からの情報入力機器がなくても原稿さえあれば簡単に製版ができ、また、後からでも簡単に何度でも繰り返して製版・印刷ができる。光学的に読み取るので、原稿を傷めることなく写真原稿も細文字原稿も製版できる。
【００４５】
請求項４記載の発明によれば、請求項３記載の手動型孔版印刷装置において、原稿を読み取りながら同時に製版を行う構成としたので、製版作業を迅速に行うことができる。
【００４６】
請求項５記載の発明によれば、請求項１記載の手動型孔版印刷装置において、製版済孔版原紙を上記インキ通過性スクリーンに密着保持させる原紙保持手段を有している構成としたので、インキ通過性スクリーンに対する製版済孔版原紙のずれによる画質劣化を防止することができる。
【００４７】
請求項６記載の発明によれば、請求項５記載の手動型孔版印刷装置において、上記原紙保持手段が磁力により密着保持させる構成を有していることとしたので、簡単な構成で孔版原紙の保持力を得ることができる。
【００４８】
請求項７記載の発明によれば、請求項１記載の手動型孔版印刷装置において、上記孔版原紙は芯材にロール状に巻かれて装着され、製版済孔版原紙を上記インキ通過性スクリーンに対する一方側から搬送排出して切断使用することなく使用する構成としたので、孔版原紙が１枚１枚独立でないので孔版原紙を安価に購入できるとともに、セット操作が容易となる。また、製版された孔版原紙を引き出してインキ通過性スクリーンに貼り付けるだけであるので、孔版原紙の位置決めが容易であり、切断操作が不要であるので製版済孔版原紙の貼付作業が容易となる。
【００４９】
請求項８記載の発明によれば、請求項７記載の手動型孔版印刷装置において、使用済みの孔版原紙を巻き取るための原紙巻取り手段が上記インキ通過性スクリーンに対する他方側に着脱自在に設けられている構成としたので、インキで作業者が汚れる度合いを低減でき、作業環境の向上を図ることができる。
【００５０】
請求項９記載の発明によれば、請求項２記載の手動型孔版印刷装置において、上記孔版原紙は芯材にロール状に巻かれ、上記フレームを開いた状態で上記装置本体にその上面側からセット可能に設けられている構成としたので、孔版原紙のセット操作が容易となる。
【００５１】
請求項１０記載の発明によれば、請求項２記載の手動型孔版印刷装置において、原稿を搬送しながら該原稿の画像を光学的に読み取って電気信号に変換する原稿読取装置が上記装置本体に設けられ、該原稿読取装置と上記製版手段の搬送駆動が単一の駆動源によってなされる構成としたので、原稿読取と製版に係る構成のコンパクト化及び低価格化を実現できる。
【００５２】
請求項１１記載の発明によれば、請求項１０記載の手動型孔版印刷装置において、製版のための上記孔版原紙の搬送と読み取りのための上記原稿の搬送が共通の搬送部材によってなされる構成としたので、原稿読取と製版に係る構成のより一層のコンパクト化及び低価格化を実現できる。
【００５３】
請求項１２記載の発明によれば、請求項１０記載の手動型孔版印刷装置において、上記フレームを閉じた状態で読み取りのための原稿を挿入可能に設けられている構成としたので、原稿の読取作業の簡易化を図ることができる。また、原稿の読み取りのみを事前に容易にできてメモリ等に保持できるので、製版作業の容易化・多様化を図ることができる。
【００５４】
請求項１３記載の発明によれば、請求項１乃至１２のうちの何れか１つに記載の手動型孔版印刷装置において、上記製版手段等を動作させるための電源を外部から取り入れるための電源接続部材の他に、蓄電池を有している構成としたので、電源が無い場所や電源事情が合わない外国等においても使用することができる。
【００５５】
請求項１４記載の発明によれば、請求項１乃至１２のうちの何れか１つに記載の手動型孔版印刷装置において、上記製版手段等を動作させるための電源として、燃料電池を備えている構成としたので、充電の必要が無いので充電する時間の無駄を無くすことができるとともに、環境破壊防止への貢献ができる。
【００５６】
請求項１５記載の発明によれば、請求項１４記載の手動型孔版印刷装置において、上記燃料電池が固体高分子型燃料電池である構成としたので、充電の必要が無いので充電する時間の無駄を無くすことができるとともに、環境破壊防止への貢献ができる。
【図面の簡単な説明】
【図１】本発明の第１の実施形態における手動型孔版印刷装置の概要側面図である。
【図２】制御ブロック図である。
【図３】フレームを開放して製版を行う状態を示す概要側面図である。
【図４】インキ供給ローラを押し転がして印刷をしている状態を示す概要側面図である。
【図５】第２の実施形態における手動型孔版印刷装置の概要側面図である。
【図６】第３の実施形態における制御ブロック図の概略図である。
【図７】第４の実施形態における制御ブロック図の概略図である。
【符号の説明】
１　フレーム
２、７　孔版原紙
３　インキ通過性スクリーン
６　装置本体
１１、１２　原紙保持手段としてのクランパ
１３　原紙巻取り手段としての芯金
２３　原稿
２６　シート状記録媒体としての印刷用紙
２９　駆動源としてのステッピングモータ
３７　蓄電池
４０　インキ供給ローラ
４２　燃料電池
６２　製版手段
６３　原稿読取装置
６８　芯材
【図１】
2004130725.tif 000003
【図２】
2004130725.tif 000004
【図３】
2004130725.tif 000005
【図４】
2004130725.tif 000006
【図５】
2004130725.tif 000007
【図６】
2004130725.tif 000008
【図７】
2004130725.tif 000009